(57)【要約】【課題】電池残量が低下して電源オフしてしまった場合でも、ロックを一時的に解除して非接触ＩＣカード機能を使用可能とする。【解決手段】制御部７は、電源部８の電池残量を監視し、電池残量が閾値より少なくなると、記憶部４のフラグテーブルに記憶されている各種フラグの状態を参照し、ロック一時解除対象サービスで、かつ入退場時使用サービスに対しては、入場後退場前であると判定された場合には、非接触ＩＣカード機能部３をロック一時解除状態とする。これにより、例えば、改札を通って電車に乗った後に、電池残量が少なくなっても、電源オフとなる直前に、非接触ＩＣカード機能をロック一時解除状態とするので、降車して改札を出る際に、非接触ＩＣカード機能を用いることが可能となる。【選択図】図１
2008152721.tif 000002
【特許請求の範囲】
【請求項１】
充電式電池を備え、少なくとも１つ以上のサービスを利用する非接触ＩＣカード機能を搭載した携帯端末において、
前記非接触ＩＣカード機能をロックするか否かの設定を記憶するロック設定記憶手段と、
前記ロック設定記憶手段に記憶されている非接触ＩＣカード機能をロックするか否かの設定内容に基づいて、前記非接触ＩＣカード機能のロックを制御するロック制御手段と、
前記充電式電池の電池残量が予め設定されている閾値を下回った否かを判定する電池残量判定手段と、
前記ロック制御手段により前記非接触ＩＣカード機能がロックされていて、かつ、前記電池残量判定手段により電池残量が予め設定されている閾値を下回ったと判定された場合に、前記非接触ＩＣカード機能のロックを一時的に解除するロック解除手段と
を具備することを特徴とする携帯端末。
【請求項２】
前記非接触ＩＣカード機能を交通機関等の入場時及び出場時に利用する際に、前記交通機関等への入場後で、かつ出場前であるかを判定する入出場状態判定手段を更に具備し、
前記ロック解除手段は、前記入出場状態判定手段により、前記交通機関等への入場後で、かつ出場前であると判定され、かつ、前記ロック制御手段により前記非接触ＩＣカード機能がロックされていて、かつ、前記電池残量判定手段により電池残量が予め設定されている閾値を下回ったと判定された場合に、前記非接触ＩＣカード機能のロックを一時的に解除することを特徴とする請求項１記載の携帯端末。
【請求項３】
前記非接触ＩＣカード機能を利用する時期を記憶する利用時期記憶手段と、
前記利用時期記憶手段に記憶されている時期に基づいて、予め設定されている期間内に非接触ＩＣカード機能を利用する予定があるか否か判定する利用予定判定手段と
を更に具備し、
前記ロック解除手段は、前記利用予定判定手段により、予め設定されている期間内に非接触カード機能を利用する予定があると判定され、かつ、前記ロック制御手段により前記非接触ＩＣカード機能がロックされていて、かつ、前記電池残量判定手段により電池残量が予め設定されている閾値を下回ったと判定された場合に、前記非接触ＩＣカード機能のロックを一時的に解除することを特徴とする請求項１記載の携帯端末。
【請求項４】
前記ロック解除手段によりロックの一時解除を行う対象であるサービスの種別を記憶するロック一時解除サービス種別記憶手段と、
利用するサービスの種別が前記ロック一時解除サービス種別記憶手段に記憶されているサービスの種別に含まれるか否かを判定するサービス種別判定手段と
を更に具備し、
前記ロック解除手段は、前記サービス種別判定手段により、利用するサービスの種別が前記ロック一時解除サービス種別記憶手段に記憶されているサービスの種別に含まれると判定され、かつ、前記ロック制御手段により前記非接触ＩＣカード機能がロックされていて、かつ、前記電池残量判定手段により電池残量が予め設定されている閾値を下回ったと判定された場合に、前記非接触ＩＣカード機能のロックを一時的に解除することを特徴とする請求項１記載の携帯端末。
【請求項５】
前記ロック解除手段により前記非接触ＩＣカード機能のロック状態を一時的に解除した後、前記電池残量判定手段により、電池残量が予め設定されている閾値を上回ったと判定された場合に、前記非接触ＩＣカード機能をロック状態に戻すロック復帰手段を更に具備することを特徴とする請求項１乃至４のいずれかに記載の携帯端末。
【請求項６】
前記ロック解除手段により前記非接触ＩＣカード機能のロック状態を一時的に解除した後、前記非接触ＩＣカード機能の利用が完了した場合、前記非接触ＩＣカード機能をロック状態に戻すロック復帰手段を更に具備することを特徴とする請求項１乃至４のいずれかに記載の携帯端末。
【請求項７】
前記ロック制御手段により前記非接触ＩＣカード機能がロックされていて、かつ、前記電池残量判定手段により電池残量が予め設定されている閾値を下回ったと判定された場合に、前記充電式電池の充電、または、前記非接触ＩＣカード機能のロック解除が必要である旨を通知する通知手段を具備し、
前記ロック解除手段は、前記非接触ＩＣカード機能のロックを一時的に解除する動作の実行を一時停止することを特徴とする請求項１乃至４のいずれかに記載の携帯端末。
【請求項８】
前記通知手段による、前記非接触ＩＣカード機能のロック解除が必要である旨の通知に応じて、前記非接触ＩＣカード機能のロックを一時的に解除するためのユーザからの指示操作を入力するロック一時解除指示操作入力手段を更に具備し、
前記ロック解除手段は、前記ロック一時解除指示操作入力手段にユーザからの指示操作が入力された場合に、一時停止していた、前記非接触ＩＣカード機能のロックを一時的に解除する動作を実行することを特徴とする請求項７記載の携帯端末。
【請求項９】
前記ロック解除手段により前記非接触ＩＣカード機能のロック状態を一時的に解除した後、前記電池残量判定手段により、電池残量が予め設定されている閾値を上回ったと判定された場合に、前記非接触ＩＣカード機能をロック状態に戻すロック復帰手段を更に具備することを特徴とする請求項８記載の携帯端末。
【請求項１０】
前記ロック解除手段により前記非接触ＩＣカード機能のロック状態を一時的に解除した後、前記非接触ＩＣカード機能の利用が完了した場合、前記非接触ＩＣカード機能をロック状態に戻すロック復帰手段を更に具備することを特徴とする請求項８記載の携帯端末。
【請求項１１】
充電式電池を備え、少なくとも１つ以上のサービスを利用する非接触ＩＣカード機能を搭載した携帯端末を制御するコンピュータに、
前記非接触ＩＣカード機能をロックするか否かの設定を記憶するロック設定記憶機能、
前記記憶されている非接触ＩＣカード機能をロックするか否かの設定内容に基づいて、前記非接触ＩＣカード機能のロックを制御するロック制御機能、
前記充電式電池の電池残量が予め設定されている閾値を下回った否かを判定する電池残量判定機能、
前記非接触ＩＣカード機能がロックされていて、かつ、前記電池残量が予め設定されている閾値を下回ったと判定された場合に、前記非接触ＩＣカード機能のロックを一時的に解除するロック解除機能
を実現させることを特徴とするプログラム。
【発明の詳細な説明】
【技術分野】
【０００１】
本発明は、非接触ＩＣカード機能を搭載する携帯端末及びプログラムに関する。
【背景技術】
【０００２】
非接触ＩＣカード機能を搭載した携帯電話には、盗難・紛失時における他人の不正使用を防止するために、非接触ＩＣカード機能を使用不可とするロック機能が搭載されている。
【０００３】
ところで、携帯電話の電池残量低下時でも、非接触ＩＣカード機能は、内部時計等と同様に、携帯電話の最低限使用できる機能の対象となっているが、画面表示を伴う非接触ＩＣカード機能をロックする機能は、電池残量低下時の対象とならないため、ロック中に電池残量が低下すると解除することができなくなるという問題がある。
【０００４】
特に、非接触ＩＣカード機能を用いるサービスの１つである交通チケットサービスを使って改札を入り、改札を出る前に電池残量が低下した場合には、ロックを解除できず、改札を抜けられないといったような状況が発生する。あるいは、電子チケットのように、所定の期間内に、非接触ＩＣカード機能使用する予定があるといったような場合に、電池残量が低下してロックを解除できなくなると、予定していたサービスを受けられないといった問題が発生しやすい。そこで、何らかの方法で、ロックを解除する必要がある。
【０００５】
非接触ＩＣカード機能において、ロックを解除する方法としては、例えば、盗難・紛失時における他人の不正使用を防止するために、サービス毎に暗証番号を設定しておき、暗証番号の認証により非接触ＩＣカードの使用が可能となる技術が開示されている（例えば、特許文献１参照）。
【０００６】
また、他の従来技術とし、非接触ＩＣカードを駅などの改札入退場に活用する場合に、電池残量が低下して電源オフとなると、入場退場ができないという課題が挙げられており、その対策として、電池残量が閾値を割った時点で、非接触ＩＣカードの認証機能か通信機能かを選択でき、電池残量の低下を防ぐ技術が開示されている（例えば、特許文献２参照）。
【０００７】
【特許文献１】特開２００３−１６３９８号公報
【特許文献２】特開２００６−１３６０３号公報
【発明の開示】
【発明が解決しようとする課題】
【０００８】
しかしながら、上記従来技術（特許文献１）では、電池残量低下に伴い非接触ＩＣカードが使用できなくなる問題には触れられていない。すなわち、ロック中に電池残量が低下すると、ロックを解除することができなくなるという問題がある。
【０００９】
また、上記従来技術（特許文献２）では、いずれかの機能を優先して使用できる時間になった時点、あるいは優先して使用できる時間まで使用可能としているが、ロックしたままの状態で電池残量が低下して電源オフしてしまった場合には、やはり、ロックを解除することができなくなるという問題がある。
【００１０】
そこで本発明は、電池残量が低下して電源オフしてしまった場合でも、ロックを解除して非接触ＩＣカード機能を使用することができる携帯端末及びプログラムを提供することを目的とする。
【課題を解決するための手段】
【００１１】
上記目的達成のため、請求項１、１１記載の発明は、非接触ＩＣカード機能をロックするか否かの設定を記憶し、該非接触ＩＣカード機能をロックするか否かの設定内容に基づいて前記非接触ＩＣカード機能のロックを制御し、充電式電池の電池残量が予め設定されている閾値を下回った否かを判定し、非接触ＩＣカード機能がロックされていて、かつ、電池残量が予め設定されている閾値を下回ったと判定された場合に、非接触ＩＣカード機能のロックを一時的に解除することを特徴とする。
【００１２】
また、好ましい態様として、例えば請求項２記載のように、請求項１記載の携帯端末において、前記非接触ＩＣカード機能を交通機関等の入場時及び出場時に利用する際に、前記交通機関等への入場後で、かつ出場前であるかを判定する入出場状態判定手段を更に具備し、前記ロック解除手段は、前記入出場状態判定手段により、前記交通機関等への入場後で、かつ出場前であると判定され、かつ、前記ロック制御手段により前記非接触ＩＣカード機能がロックされていて、かつ、前記電池残量判定手段により電池残量が予め設定されている閾値を下回ったと判定された場合に、前記非接触ＩＣカード機能のロックを一時的に解除するようにしてもよい。
【００１３】
また、好ましい態様として、例えば請求項３記載のように、請求項１記載の携帯端末において、前記非接触ＩＣカード機能を利用する時期を記憶する利用時期記憶手段と、前記利用時期記憶手段に記憶されている時期に基づいて、予め設定されている期間内に非接触ＩＣカード機能を利用する予定があるか否か判定する利用予定判定手段とを更に具備し、前記ロック解除手段は、前記利用予定判定手段により、予め設定されている期間内に非接触カード機能を利用する予定があると判定され、かつ、前記ロック制御手段により前記非接触ＩＣカード機能がロックされていて、かつ、前記電池残量判定手段により電池残量が予め設定されている閾値を下回ったと判定された場合に、前記非接触ＩＣカード機能のロックを一時的に解除するようにしてもよい。
【００１４】
また、好ましい態様として、例えば請求項４記載のように、請求項１記載の携帯端末において、前記ロック解除手段によりロックの一時解除を行う対象であるサービスの種別を記憶するロック一時解除サービス種別記憶手段と、利用するサービスの種別が前記ロック一時解除サービス種別記憶手段に記憶されているサービスの種別に含まれるか否かを判定するサービス種別判定手段とを更に具備し、前記ロック解除手段は、前記サービス種別判定手段により、利用するサービスの種別が前記ロック一時解除サービス種別記憶手段に記憶されているサービスの種別に含まれると判定され、かつ、前記ロック制御手段により前記非接触ＩＣカード機能がロックされていて、かつ、前記電池残量判定手段により電池残量が予め設定されている閾値を下回ったと判定された場合に、前記非接触ＩＣカード機能のロックを一時的に解除するようにしてもよい。
【００１５】
また、好ましい態様として、例えば請求項５記載のように、請求項１乃至４のいずれかに記載の携帯端末において、前記ロック解除手段により前記非接触ＩＣカード機能のロック状態を一時的に解除した後、前記電池残量判定手段により、電池残量が予め設定されている閾値を上回ったと判定された場合に、前記非接触ＩＣカード機能をロック状態に戻すロック復帰手段を更に具備するようにしてもよい。
【００１６】
また、好ましい態様として、例えば請求項６記載のように、請求項１乃至４のいずれかに記載の携帯端末において、前記ロック解除手段により前記非接触ＩＣカード機能のロック状態を一時的に解除した後、前記非接触ＩＣカード機能の利用が完了した場合、前記非接触ＩＣカード機能をロック状態に戻すロック復帰手段を更に具備するようにしてもよい。
【００１７】
また、好ましい態様として、例えば請求項７記載のように、請求項１乃至４のいずれかに記載の携帯端末において、前記ロック制御手段により前記非接触ＩＣカード機能がロックされていて、かつ、前記電池残量判定手段により電池残量が予め設定されている閾値を下回ったと判定された場合に、前記充電式電池の充電、または、前記非接触ＩＣカード機能のロック解除が必要である旨を通知する通知手段を具備し、前記ロック解除手段は、前記非接触ＩＣカード機能のロックを一時的に解除する動作の実行を一時停止することを特徴とするようにしてもよい。
【００１８】
また、好ましい態様として、例えば請求項８記載のように、請求項７記載の携帯端末において、前記通知手段による、前記非接触ＩＣカード機能のロック解除が必要である旨の通知に応じて、前記非接触ＩＣカード機能のロックを一時的に解除するためのユーザからの指示操作を入力するロック一時解除指示操作入力手段を更に具備し、前記ロック解除手段は、前記ロック一時解除指示操作入力手段にユーザからの指示操作が入力された場合に、一時停止していた、前記非接触ＩＣカード機能のロックを一時的に解除する動作を実行するようにしてもよい。
【００１９】
また、好ましい態様として、例えば請求項９記載のように、請求項８記載の携帯端末において、前記ロック解除手段により前記非接触ＩＣカード機能のロック状態を一時的に解除した後、前記電池残量判定手段により、電池残量が予め設定されている閾値を上回ったと判定された場合に、前記非接触ＩＣカード機能をロック状態に戻すロック復帰手段を更に具備するようにしてもよい。
【００２０】
また、好ましい態様として、例えば請求項１０記載のように、請求項８記載の携帯端末において、前記ロック解除手段により前記非接触ＩＣカード機能のロック状態を一時的に解除した後、前記非接触ＩＣカード機能の利用が完了した場合、前記非接触ＩＣカード機能をロック状態に戻すロック復帰手段を更に具備するようにしてもよい。
【発明の効果】
【００２１】
本発明によれば、電池残量が低下して電源オフしてしまった場合でも、ロックを一時的に解除して非接触ＩＣカード機能を使用することができるという利点が得られる。
【発明を実施するための最良の形態】
【００２２】
以下、本発明の実施の形態を、図面を参照して説明する。
【００２３】
Ａ．実施形態の構成
図１は、本発明の実施形態による携帯電話の構成を示すブロック図である。図１において、通信部１は、図示しない無線基地局を介して、発着信を制御して音声通話やデータ通信などを行う。操作部２は、電話番号や、各種データ、動作指示などを入力する。非接触ＩＣカード機能部３は、読み取り器との間で１０ｃｍ程度のごく近距離で無線により双方向通信を行って、現金を使わずに商品の代金や、交通機関の料金などを支払うことができる電子マネー、プリペイドカードの機能を実現する。
【００２４】
記憶部４は、所定のプログラムや、各種パラメータなどを記憶するとともに（ＲＯＭ）、制御部７の作業用エリアとして用いられる（ＲＡＭ）。特に、本実施形態では、記憶部４には、ロックフラグ、ロック一時解除フラグ、サービス種フラグ、特定サービスフラグ、入場フラグ及び使用予定フラグなどの各種フラグと、サービス毎に、上記各種フラグの状態を格納しているサービステーブルとを保持している。なお、これら各種フラグとサービステーブルの詳細については後述する。また、記憶部４は、スケジュール情報を記憶している。該スケジュール情報には、前もって非接触ＩＣカード機能を利用する日時が登録されている。例えば、映画や、コンサートチケットなどをインターネットを介してウェブ上で購入した場合であっても、その購入記録などから、その日時を手動、または自動でスケジュール情報に登録するものとする。
【００２５】
表示部５は、例えば、ＬＣＤ（Liquid Crystal Display）や有機ＥＬ（Electro Luminescence）等で構成され、電波強度や電池残量などの端末状態、メール文書、動画及び静止画などのアプリケーションに係るデータ、携帯電話の機能を利用するために必要な画面などを表示する。電話部６は、音声通話において、マイク６−２からの音声を取り込み、デジタル信号に変換して制御部７に供給する一方、相手電話の音声信号をアナログ信号に変換してスピーカ６−１から出力する。
【００２６】
制御部７は、上述した各部の動作を所定のプログラムに従って制御する。特に、本実施形態では、通常の発着信処理や、通話処理、非接触ＩＣカード機能部３の制御（ロック、ロック一時解除、非ロック一時解除、ユーザへの通知など）、電源部８の電池残量の検出などを行うようになっている。電源部８は、充電可能な二次電池からなり、上述した各部へ動作用の電力を供給する。
【００２７】
次に、図２は、上述した記憶部４に記憶されている各種フラグの状態とその意味を説明するための概念図である。ロックフラグは、「０」に設定されている場合には、非接触ＩＣカード機能が非ロック状態であることを示し、「１」に設定されている場合には、非接触ＩＣカード機能がロック状態であることを示すフラグである。なお、該ロックフラグは、デフォルトでは「１」に設定されているものとするが、ユーザによって適宜変更可能である（詳細は後述する）。
【００２８】
ロック一時解除フラグは、サービス毎に設定され、「０」に設定されている場合には、非接触ＩＣカード機能が非ロック状態であることを示し、「１」に設定されている場合には、特定サービスに限り、非接触ＩＣカード機能がロック一時解除状態であることを示すフラグである。また、サービス種フラグは、サービス毎に固定的に設定され、通常サービスに対しては「０」に設定され、入退場時使用サービスに対しては「１」に設定され、期日指定サービスに対しては「２」に設定されるフラグである。
【００２９】
特定サービスフラグは、サービス毎に設定され、ロック一時解除非対象サービスである場合に「０」に設定され、ロック一時解除対象サービスである場合に「１」に設定されるフラグである。該特定サービスフラグは、例えば、電子マネーサービスであれば「０」、交通チケットサービスであれば「１」、電子チケットサービスであれば「１」、ポイントカードサービスであれば「０」というように、サービスの種類に応じて予め「０」か「１」の何れかに設定されているが、ユーザによって適宜変更可能である（詳細は後述する）。
【００３０】
また、入場フラグは、サービス種フラグが「１」の場合に有効となり、退場後入場前である場合に「０」に設定され、入場後退場前である場合に「１」に設定されるフラグである。そして、使用予定フラグは、サービス種フラグが「２」の場合に有効となり、指定期間内（例えば、２４時間以内）に使用予定がない場合に「０」に設定され、指定期間内に使用予定がある場合に「１」に設定されるフラグである。
【００３１】
次に、図３は、上述したサービステーブルの一状態を示す概念図である。図３に示すように、サービステーブル４−１には、サービス毎に、ロック一時解除フラグ、サービス種フラグ、特定サービスフラグ、入場フラグ及び使用予定フラグが設定されている。図示の例では、電子マネーサービスに対しては、ロック一時解除フラグが「０」に、サービス種フラグが「０」、特定サービスフラグが「０」が設定されている。つまり、電子マネーサービスは、通常サービスで、ロック一時解除非対象サービスであって、非ロック一時解除状態にあることが示されている。
【００３２】
また、交通チケットサービスに対しては、ロック一時解除フラグが「０」に、サービス種フラグが「１」、特定サービスフラグが「１」、入場フラグが「０」に設定されている。つまり、交通チケットサービスは、入退場サービスで、ロック一時解除対象サービスであって、非ロック一時解除状態にあり、かつ退場後入場前の状態にあることが示されている。
【００３３】
また、電子チケットサービスに対しては、ロック一時解除フラグが「０」に、サービス種フラグが「２」、特定サービスフラグが「１」、使用予定フラグが「０」に設定されている。つまり、電子チケットサービスは、期日指定サービスで、ロック一時解除対象サービスであって、非ロック一時解除状態にあり、かつ指定期間内に使用予定がない状態にあることが示されている。
【００３４】
そして、ポイントカードサービスに対しては、ロック一時解除フラグが「０」に、サービス種フラグが「０」、特定サービスフラグが「０」が設定されている。つまり、ポイントカードサービスは、通常サービスで、ロック一時解除非対象サービスであって、非ロック一時解除状態にあることが示されている。
【００３５】
Ｂ．実施形態の動作
次に、上述した実施形態の動作について説明する。
図４は、本実施形態による携帯電話の動作（メインルーチン）を説明するためのフローチャートである。まず、電源がオンにされたか否かを判断し（ステップＳ１０）、電源がオンにされると、動作に必要なパラメータを初期化するなどの起動処理を行い（ステップＳ１２）、待ち受け画面を表示する（ステップＳ１４）。次に、ユーザにより何らかの操作が行われた否かを判断し（ステップＳ１６）、何らかの操作が行われた場合には、非接触ＩＣカード機能の利用操作であるか否かを判断する（ステップＳ１８）。
【００３６】
そして、非接触ＩＣカード機能の利用操作であった場合には、非接触ＩＣカード機能利用処理を行う（ステップＳ２０）。該非接触ＩＣカード機能利用処理の詳細については後述するが、ここで、簡単に説明すると、該非接触ＩＣカード機能利用処では、上述した各種フラグの状態を参照してサービスの実行／非実行を判断するとともに、サービスを実行した際には、必要なフラグの設定を行うようになっている。
【００３７】
一方、操作が非接触ＩＣカード機能の利用操作でなかった場合には、設定操作であるか否かを判断する（ステップＳ２２）。そして、操作が設定操作であった場合には、設定処理を行う（ステップＳ２４）。該設定処理の詳細については後述するが、簡単に説明すると、該設定処理では、上述した各種フラグを設定するようになっている。一方、操作が設定操作でなかった場合には、その他の操作に対応する処理を実行し（ステップＳ２６）、ステップＳ１４に戻る。
【００３８】
一方、待ち受け画面において何ら操作がなかった場合には、ロックフラグが「１」であるか否かを判断する（ステップＳ２８）。該ロックフラグは、前述したように、「０」に設定されている場合には、非接触ＩＣカード機能が非ロック状態であることを示し、「１」に設定されている場合には、非接触ＩＣカード機能がロック状態であることを示すフラグである。ここで、ロックフラグが、接触ＩＣカード機能が非ロック状態である「０」である場合には、何もせずにステップＳ１４に戻る。
【００３９】
一方、ロックフラグが、非接触ＩＣカード機能がロック状態である「１」である場合には、非接触ＩＣカード機能が指定期間内で使用予定になっているかを、スケジュール情報（データベース）を検索する（ステップＳ３０）。なお、スケジュール情報には、前もって非接触ＩＣカード機能を利用する日時が登録されているものとする。例えば、映画や、コンサートチケットなどをインターネットを介してウェブ上で購入した場合であっても、その購入記録などから、その日時を手動、または自動でスケジュール情報に登録するものとする。そして、非接触ＩＣカード機能が指定期間内で使用予定になっているか判断し（ステップＳ３２）、指定期間内で使用予定になっていない場合には、何もせずにステップＳ１４に戻る。
【００４０】
これに対して、非接触ＩＣカード機能が指定期間内で使用予定になっている場合には、使用予定フラグを「１」に設定する（ステップＳ３４）。例えば、図３に示すフラグテーブル４−１の状態で、電子チケットサービスに注目すると、該電子チケットサービスは、サービス種フラグが「２：期日指定サービス」、すなわち、コンサートなどのように、所定の日時に、会場への入退場時に非接触ＩＣカード機能を使用することになる。
【００４１】
図３に示す状態では、該電子チケットサービスの使用予定フラグが「０：使用予定なし」となっており（Ａ１）、上記の例で言えば、まだ、コンサート当日の所定期間より前の状態である。そして、コンサート当日（入場の２４時間以内）になると、ステップＳ３４で、図１０に示すように、使用予定フラグを「１：指定期間内に使用予定あり」とする（Ｃ１）。
【００４２】
次に、電池残量が予め設定されている閾値以上であるか否かを判断し（ステップＳ３６）、閾値以上である場合には、ロック一時解除フラグが「１」であるか否かを判断し（ステップＳ３８）、ロック一時解除フラグが「１」である場合には、ロック一時解除フラグを「０」、すなわち、接触ＩＣカード機能を非ロック一時解除状態とする（ステップＳ４０）。これは、ロック一時解除フラグが「１：非接触ＩＣカード機能ロック一時解除状態」であるとき、充電を行って再び電源オンした時点で、非接触ＩＣカード機能を再度ロック状態とするためである。その後、ステップＳ１４に戻る。
【００４３】
一方、電池残量が閾値より少なくなった場合には、ロック解除処理を行い（ステップＳ４２）、ステップＳ１４に戻る。該ロック解除処理の詳細については後述するが、簡単に説明すると、該ロック解除処理では、電池残量が閾値より少なくなった場合に、非接触ＩＣカード機能が使用できなくなるのを防ぐために、各種フラグの状態に基づいて、非接触ＩＣカード機能を一時的に使用可能とすべく、ロック一時解除状態にするようになっている。なお、本実施形態では、ロック解除処理として、各種フラグの状態に基づいて、自動的にロックを一時的に解除する「自動ロック一時解除」と、各種フラグの状態に基づいて、ロックを一時的に解除可能な状態であると判定された場合に、まず、ユーザに通知し、その後、該通知に応じてユーザからロック一時解除の指示操作があった場合に、ロックを一時的に解除する「通知＆ユーザ操作によるロック一時解除」とについて説明する。
【００４４】
次に、上述した非接触ＩＣカード機能利用処理について説明する。
図５は、上述した非接触ＩＣカード機能利用処理の動作を説明するためのフローチャートである。非接触ＩＣカード機能利用処理では、まず、ロックフラグが「１」であるか否か、すなわち、非接触ＩＣカード機能がロック状態であるか否かを判断する（ステップＳ５０）。そして、ロックフラグが「１」の場合には、利用サービスの特定サービスフラグが「１」であるか否か、すなわち、ロック一時解除対象サービスであるか否かを判断する（ステップＳ５２）。
【００４５】
ここで、ロック一時解除対象サービスである場合には、ロック一時解除フラグが「１」であるか否か、すなわち、非接触ＩＣカード機能がロック一時解除状態であるか否かを判断する（ステップＳ５４）。そして、ロック一時解除フラグが「１」である場合には、ロック一時解除フラグを「０」にし（ステップＳ５６）、非接触ＩＣカード機能を利用するサービスを実行する（ステップＳ５８）。
【００４６】
すなわち、上述したステップＳ５０〜Ｓ５８では、非接触ＩＣカード機能がロック状態（ロックフラグ＝「１」）であった場合でも、ロック一時解除対象サービス（特定サービスフラグ＝「１」）であって、かつ、非接触ＩＣカード機能がロック一時解除状態（ロック一時解除フラグ＝「１」）である場合には、非接触ＩＣカード機能を利用するサービスを実行する。また、このとき、非接触ＩＣカード機能を利用するサービスを実行することで、ロックの一時解除が不要となるので、ステップＳ５６で、ロック一時解除フラグを「０」に戻している。
【００４７】
これに対して、ステップＳ５２で、ロック一時解除対象サービスでない場合（特定サービスフラグ＝「０」）、あるいは、ロック一時解除対象サービスであっても、ステップＳ５４で、非接触ＩＣカード機能が非ロック一時解除状態（ロック一時解除フラグ＝「０」）であると判定された場合には、非接触ＩＣカード機能を利用するサービスを実行することなく、当該処理を終了し、上述したメインルーチンに戻る。
【００４８】
また、ステップＳ５０で、非接触ＩＣカード機能が非ロック状態（ロックフラグ＝「０」）であった場合には、上述したフラグの状態に関係なく、非接触ＩＣカード機能を利用するサービスを実行する。
【００４９】
ステップＳ５８で、非接触ＩＣカード機能を利用するサービスを実行した後は、利用サービスのサービス種フラグを取得し（ステップＳ６０）、サービス種フラグが「１：入退場時使用サービス」であるか否かを判断する（ステップＳ６２）。そして、サービス種フラグが入退場時使用サービスであることを示す「１」である場合には、入場フラグが「１」であるか否か、すなわち、退場後または入場前であるか否かを判断する（ステップＳ６４）。つまり、入退場時使用サービスにおいて、非接触ＩＣカード機能を利用した場合、その利用が入場時に利用されたのか、退場時に利用されたのかを判定する。
【００５０】
そして、入場フラグが「１」である場合には、入場後退場前の状態、言い換えると、退場時に非接触ＩＣカード機能を利用したことを示しているので、入場フラグを「０：退場後入場前」に設定する（ステップＳ６６）。一方、入場フラグが「１」でない場合には、退場後入場前の状態、言い換えると、入場時に非接触ＩＣカード機能を利用したことを示しているので、入場フラグを「１：入場後退場前」に設定する（ステップＳ６８）。その後、いずれの場合もメインルーチンに戻る。
【００５１】
例えば、図３に示すフラグテーブルの状態で、交通チケットサービスに注目すると、該交通チケットサービスは、サービス種フラグが「１：入退場時使用サービス」、すなわち、電車や、路線バスなどを利用した場合に、乗車時と降車時に非接触ＩＣカード機能を使用するサービスである。
【００５２】
図３に示す状態では、該交通チケットサービスの入場フラグが「０：退場後入場前」となっており（Ａ２）、上記の例で言えば、乗車前の状態である。この状態で、乗車時に非接触ＩＣカード機能を用いると、入場フラグが「０」であるので、ステップＳ６８で、図９に示すように、入場フラグを「１：入場後退場前」、この場合、乗車してまだ降車する前の状態とする（Ｂ１）。また、退場時に非接触ＩＣカード機能を用いた場合には、図９に示すように、入場フラグが「１」となっているので、ステップＳ６６で、入場フラグを「０：退場後入場前」、この場合、降車した状態としている。
【００５３】
また、サービス種フラグが「１：入退場時使用サービス」でない場合には、サービス種フラグが「２：期日指定サービス」であるか否かを判断する（ステップＳ７０）。そして、サービス種フラグが「２：期日指定サービス」である場合には、使用予定フラグを「０：指定期間内に使用予定なし」に設定し（ステップＳ７２）、メインルーチンに戻る。一方、サービス種フラグが「２：期日指定サービス」でない場合には、何もせずにメインルーチンに戻る。
【００５４】
これは、例えば、上述した電子チケットサービスにおいて、会場に入場する際に相当する。すなわち、会場に入場する際に、チケットを既に購入済であることを提示するために、非接触ＩＣカード機能を用いた場合、前述したステップＳ３４で「１」にした使用予定フラグを、ステップＳ７２で「０」とすることで、期日指定サービスを完了した状態としている。
【００５５】
次に、上述したロック解除処理（自動ロック一時解除）について説明する。
図６は、上述したロック解除処理（自動ロック一時解除）の動作を説明するためのフローチャートである。ロック解除処理では、まず、変数ｉを「１」とする（ステップＳ８０）。次に、図３に示すサービステーブルを参照し、Ｎｏ．＝ｉのサービスのフラグ状態を取得する（ステップＳ８２）。
【００５６】
まず、特定サービスフラグが「１：ロック一時解除対象サービス」であるか否かを判断する（ステップＳ８４）。そして、特定サービスフラグが「１：ロック一時解除対象サービス」である場合には、サービス種フラグが「１：入退場時使用サービス」であるか否かを判断する（ステップＳ８６）。そして、サービス種フラグが「１：入退場時使用サービス」である場合には、入場フラグが「１：入場後退場前」であるか否かを判断する（ステップＳ８８）。そして、入場フラグが「１：入場後退場前」である場合には、ロック一時解除フラグを「１：特定サービスに限り非接触ＩＣカード機能のロック一時解除状態」に設定する（ステップＳ９４）。
【００５７】
すなわち、電池残量が低下して電源オフとなる直前に、ロック一時解除対象サービスで、かつ入退場時使用サービスに対しては、入場後退場前であれば、非接触ＩＣカード機能をロック一時解除状態とする。これにより、入場後退場前に電源オフしてしまった場合であっても、ロック一時解除状態となっているので、非接触ＩＣカード機能を使用して退場することができる。
【００５８】
これは、例えば、上述した交通チケットサービスにおいて、乗車した状態で、電池残量が低下した場合に相当する。すなわち、乗車した状態では、入場フラグが「１」となっているので、ステップＳ９４で、図９に示すように、ロック一時解除フラグを「１」とし（Ｂ２）、非接触ＩＣカード機能をロック一時解除状態とする。ロック一時解除状態とすることで、降車前に電源オフしてしまった場合でも、ロックが一時的に解除されているので、降車時に非接触ＩＣカード機能を用いて運賃を支払うことができる。
【００５９】
一方、ステップＳ８８で、入場フラグが「１：入場後退場前」でない場合には、ロック一時解除フラグを、ロック一時解除状態としない。すなわち、電池残量が低下した場合、ロック一時解除対象サービスで、かつ入退場時使用サービスに対しては、退場後入場前であれば、非接触ＩＣカード機能を非ロック一時解除状態のままとする。これにより、退場後入場前に電源オフしてしまった場合には、非ロック一時解除状態となっているので、非接触ＩＣカード機能を使用することができず、不正使用を防ぐことができる。
【００６０】
また、ステップＳ８６で、サービス種フラグが「１：入退場時使用サービス」でない場合には、サービス種フラグが「２：期日指定サービス」であるか否かを判断する（ステップＳ９０）。そして、サービス種フラグが「２：期日指定サービス」でない場合には、ロック一時解除フラグを「１：特定サービスに限り非接触ＩＣカード機能のロック一時解除状態」に設定する（ステップＳ９４）。
【００６１】
すなわち、電池残量が低下した場合、ロック一時解除対象サービスで、かつ通常サービスに対しては、非接触ＩＣカード機能をロック一時解除状態とする。これにより、電源オフしてしまった場合であっても、ロック一時解除状態となっているので、非接触ＩＣカード機能を使用することができる。
【００６２】
一方、サービス種フラグが「２：期日指定サービス」である場合には、使用予定フラグが「１：指定期間内に使用予定あり」であるか否かを判断する（ステップＳ９２）。そして、使用予定フラグが「１：指定期間内に使用予定あり」である場合には、ロック一時解除フラグを「１：特定サービスに限り非接触ＩＣカード機能のロック一時解除状態」に設定する（ステップＳ９４）。
【００６３】
すなわち、電池残量が低下した場合、ロック一時解除対象サービスで、かつ期日指定サービスに対しては、指定期間内に使用予定である場合に、非接触ＩＣカード機能をロック一時解除状態とする。これにより、指定期間内に使用予定がある場合に、電源オフしてしまった場合であっても、ロック一時解除状態となっているので、非接触ＩＣカード機能を使用することができる。
【００６４】
これは、例えば、上述した電子チケットサービスにおいて、会場に入場する際に、非接触ＩＣカード機能を用いて、チケットを既に購入済であることを提示する前に電池残量が低下した場合に相当する。この場合、前述したステップＳ３４で、使用予定フラグが「１：指定期間内に使用予定あり」となっているので、ステップＳ９２からステップＳ９４へ進み、図１０に示すように、ロック一時解除フラグを「１」とし（Ｃ２）、非接触ＩＣカード機能をロック一時解除状態とする。このように、ロック一時解除状態とすることで、チケットを既に購入済であることを提示する前に電源オフしてしまった場合でも、ロックが一時的に解除されているので、退場時に非接触ＩＣカード機能を用いることができる。
【００６５】
また、ステップＳ９２で、使用予定フラグが「１：指定期間内に使用予定あり」でない場合には、ロック一時解除フラグを、ロック一時解除状態としない。すなわち、電池残量が低下した場合、ロック一時解除対象サービスで、かつ期日指定サービスであるものの、指定期間内に使用予定がない場合には、非接触ＩＣカード機能を非ロック一時解除状態のままとする。これにより、使用予定がない状態で電源オフしてしまった場合には、非ロック一時解除状態となっているので、非接触ＩＣカード機能を使用することができず、不正使用を防ぐことができる。
【００６６】
また、ステップＳ８４で、特定サービスフラグが「１：ロック一時解除対象サービス」でない場合には、ロック一時解除フラグを、ロック一時解除状態としない。すなわち、電池残量が低下した場合、ロック一時解除対象サービスでないサービスに対しては、非接触ＩＣカード機能を非ロック一時解除状態のままとする。これにより、電源オフしてしまった場合には、非ロック一時解除状態となっているので、非接触ＩＣカード機能を使用することができず、不正使用を防ぐことができる。
【００６７】
いずれの場合も、変数ｉを１つインクリメントし（ステップＳ９６）、変数ｉが最大Ｎｏ．を超えたか否かを判断する（ステップＳ９８）。そして、変数ｉが最大Ｎｏ．を超えていなければ、ステップＳ８２に戻り、次のサービスに対して上述した処理を繰り返す。一方、変数ｉを最大Ｎｏ．を越えた場合には、当該処理を終了してメインルーチンに戻る。
【００６８】
次に、上述したロック解除処理（通知＆ユーザ操作によるロック一時解除）について説明する。図７は、上述したロック解除処理（通知＆ユーザ操作によるロック一時解除）の動作を示すフローチャートである。ロック解除処理では、まず、変数ｉを「１」とする（ステップＳ１００）。次に、図３に示すサービステーブルを参照し、Ｎｏ．＝ｉのサービスのフラグ状態を取得する（ステップＳ１０２）。
【００６９】
まず、特定サービスフラグが「１：ロック一時解除対象サービス」であるか否かを判断する（ステップＳ１０４）。そして、特定サービスフラグが「１：ロック一時解除対象サービス」である場合には、サービス種フラグが「１：入退場時使用サービス」であるか否かを判断する（ステップＳ１０６）。そして、サービス種フラグが「１：入退場時使用サービス」である場合には、入場フラグが「１：入場後退場前」であるか否かを判断する（ステップＳ１０８）。そして、入場フラグが「１：入場後退場前」である場合には、表示部５にメッセージを表示するなどして、充電あるいはロック一時解除する必要がある旨をユーザに通知する（ステップＳ１１４）。
【００７０】
次に、ユーザによるロック一時解除操作を待ち（ステップＳ１１６）、ロック一時解除操作があったか否かを判断する（ステップＳ１１８）。そして、ユーザによるロック一時解除操作があった場合には、ロック一時解除フラグを「１：特定サービスに限り非接触ＩＣカード機能のロック一時解除状態」に設定する（ステップＳ１２０）。一方、ユーザによるロック一時解除操作がなかった場合には、ロック一時解除フラグを、ロック一時解除状態としない。
【００７１】
すなわち、電池残量が低下した場合、ロック一時解除対象サービスで、かつ入退場時使用サービスに対しては、入場後退場前であれば、充電あるいはロック一時解除する必要がある旨をユーザに通知し、これを確認したユーザによるロック一時解除操作があった場合に、非接触ＩＣカード機能をロック一時解除状態とする一方、ユーザによるロック一時解除操作がなかった場合には、ロック一時解除状態としない。これにより、入場後退場前に電源オフしてしまった場合であっても、ユーザ操作に応じて、ロック一時解除状態、非ロック一時解除状態のいずれかを選択することができるので、利便性を低下させることなく、不正使用を防ぐことができる。
【００７２】
一方、ステップＳ１０８で、入場フラグが「１：入場後退場前」でない場合には、ロック一時解除フラグを、ロック一時解除状態としない。すなわち、電池残量が低下した場合、ロック一時解除対象サービスで、かつ入退場時使用サービスに対しては、退場後入場前であれば、非接触ＩＣカード機能を非ロック一時解除状態のままとする。これにより、退場後入場前に電源オフしてしまった場合には、非ロック一時解除状態となっているので、非接触ＩＣカード機能を使用することができず、不正使用を防ぐことができる。
【００７３】
また、ステップＳ１０６で、サービス種フラグが「１：入退場時使用サービス」でない場合には、サービス種フラグが「２：期日指定サービス」であるか否かを判断する（ステップＳ１１０）。そして、サービス種フラグが「２：期日指定サービス」でない場合には、表示部５にメッセージを表示するなどして、充電あるいはロック一時解除する必要がある旨をユーザに通知する（ステップＳ１１４）。
【００７４】
以下、同様に、ユーザによるロック一時解除操作を待ち（ステップＳ１１６）、ロック一時解除操作があったか否かを判断し（ステップＳ１１８）、ユーザによりロック一時解除操作があった場合には、ロック一時解除フラグを「１：特定サービスに限り非接触ＩＣカード機能のロック一時解除状態」に設定する（ステップＳ１２０）。一方、ユーザによるロック一時解除操作がなかった場合には、ロック一時解除フラグを、ロック一時解除状態としない。
【００７５】
すなわち、電池残量が低下した場合、ロック一時解除対象サービスで、かつ通常サービスに対しては、充電あるいはロック一時解除する必要がある旨をユーザに通知し、これを確認したユーザによりロック一時解除操作があった場合に、非接触ＩＣカード機能をロック一時解除状態とする一方、ユーザによるロック一時解除操作がなかった場合には、ロック一時解除状態としない。これにより、電源オフしてしまった場合であっても、ユーザ操作に応じて、ロック一時解除状態、非ロック一時解除状態のいずれかを選択することができるので、利便性を低下させることなく、不正使用を防ぐことができる。
【００７６】
一方、サービス種フラグが「２：期日指定サービス」である場合には、使用予定フラグが「１：指定期間内に使用予定あり」であるか否かを判断する（ステップＳ１１２）。そして、使用予定フラグが「１：指定期間内に使用予定あり」である場合には、表示部５にメッセージを表示するなどして、充電あるいはロック一時解除する必要がある旨をユーザに通知する（ステップＳ１１４）。
【００７７】
以下、同様に、ユーザによるロック一時解除操作を待ち（ステップＳ１１６）、ロック一時解除操作があったか否かを判断し（ステップＳ１１８）、ユーザによるロック一時解除操作があった場合には、ロック一時解除フラグを「１：特定サービスに限り非接触ＩＣカード機能のロック一時解除状態」に設定する（ステップＳ１２０）。一方、ユーザによるロック一時解除操作がなかった場合には、ロック一時解除フラグを、ロック一時解除状態としない。
【００７８】
すなわち、電池残量が低下した場合、ロック一時解除対象サービスで、かつ期日指定サービスに対しては、充電あるいはロック一時解除する必要がある旨をユーザに通知し、これを確認したユーザによりロック一時解除操作があった場合に、非接触ＩＣカード機能をロック一時解除状態とする一方、ユーザによるロック一時解除操作がなかった場合には、ロック一時解除状態としない。これにより、指定期間内に使用予定がある場合に、電源オフしてしまった場合であっても、ユーザ操作に応じて、ロック一時解除状態、非ロック一時解除状態のいずれかを選択することができるので、利便性を低下させることなく、不正使用を防ぐことができる。
【００７９】
また、ステップＳ１１２で、使用予定フラグが「１：指定期間内に使用予定あり」でない場合には、ロック一時解除フラグを、ロック一時解除状態としない。すなわち、電池残量が低下した場合、ロック一時解除対象サービスで、かつ期日指定サービスであるものの、指定期間内に使用予定がない場合には、非接触ＩＣカード機能を非ロック一時解除状態のままとする。これにより、使用予定がない状態で電源オフしてしまった場合であっても、非ロック一時解除状態となっているので、非接触ＩＣカード機能を使用することができず、不正使用を防ぐことができる。
【００８０】
また、ステップＳ１０４で、特定サービスフラグが「１：ロック一時解除対象サービス」でない場合には、ロック一時解除フラグを、ロック一時解除状態としない。すなわち、電池残量が低下した場合、ロック一時解除対象サービスでないサービスに対しては、非接触ＩＣカード機能を非ロック一時解除状態のままとする。これにより、電源オフしてしまった場合であっても、非ロック一時解除状態となっているので、非接触ＩＣカード機能を使用することができず、不正使用を防ぐことができる。
【００８１】
いずれの場合も、次に、変数ｉを１つインクリメントし（ステップＳ１２２）、変数ｉが最大Ｎｏ．を超えたか否かを判断する（ステップＳ１２４）。そして、変数ｉが最大Ｎｏ．を超えていなければ、ステップＳ１０２に戻り、次のサービスに対して上述した処理を繰り返す。一方、変数ｉが最大Ｎｏ．を超えた場合には、当該処理を終了してメインルーチンに戻る。
【００８２】
次に、上述した設定処理について説明する。
図８は、上述した設定処理の動作を説明するためのフローチャートである。設定処理では、まず、設定操作が非接触ＩＣカード機能ロック設定操作であるか否かを判断し（ステップＳ１３０）、非接触ＩＣカード機能ロック設定操作である場合には、図１１に示すようなロック設定画面を表示部５に表示する（Ｓ１３２）。
【００８３】
該ロック設定画面には、メニューとして、「［１］設定する、［２］解除する」という項目が表示されるとともに、ロックフラグの状態に基づいて、現在、どちらに設定されているかを示す丸印（アイコン）が、対応する項目の横に表示される。図示の例では、［１］設定する側に丸印が表示されているので、非接触ＩＣカード機能はロックされている。ユーザは、図１１に示すロック設定画面で、「［１］設定する、［２］解除する」のいずれかを操作部２で選択し、決定操作（画面下部のＯＫ選択に相当する）を行う。
【００８４】
携帯電話（制御部７）では、ロック設定画面の表示後、ユーザにより決定操作があった場合、「［１］設定する」が選択決定されたか否かを判断する（ステップＳ１３４）。そして、「［１］設定する」が選択決定された場合には、ロックフラグを「１：ロック状態」に設定し（ステップＳ１３６）、その後、メインルーチンに戻る。一方、「［２］解除する」が選択決定された場合には、ロックフラグを「０：非ロック状態」に設定し（ステップＳ１３８）、その後、メインルーチンに戻る。
【００８５】
次に、設定操作が非接触ＩＣカード機能ロック設定操作でなかった場合には、特定サービス機能設定操作であるか否かを判断し（ステップＳ１４０）、特定サービス機能設定操作である場合には、図１２に示すような特定サービス機能設定画面を表示部５に表示する（Ｓ１４２）。該特定サービス機能設定画面には、「［１］電子マネー、［２］交通チケット、［３］電子チケット、［４］ポイントカード」というように、サービスの一覧が表示されるとともに、現在、ロック一時解除対象サービスに設定されているサービスの横に、丸印（アイコン）が表示される。ユーザは、図１２に示す特定サービス機能設定画面で、ロック一時解除非対象サービスまたはロック一時解除対象サービスに設定するサービスを操作部２で選択し、決定操作（画面下部のＯＫ選択に相当する）を行う。
【００８６】
携帯電話（制御部７）では、特定サービス機能設定画面の表示後、ユーザにより決定操作があった場合、選択されたサービスの特定サービスフラグが「１」であるか否かを判断する（ステップＳ１４４）。そして、選択されたサービスの特定サービスフラグが「１」である場合、すなわち、ロック一時解除対象サービスに設定されている場合には、特定サービスフラグを「０：ロック一時解除非対象サービス」に設定し（ステップＳ１４６）、その後、メインルーチンに戻る。一方、選択されたサービスの特定サービスフラグが「０」である場合、すなわち、ロック一時解除非対象サービスに設定されている場合には、特定サービスフラグを「１：ロック一時解除対象サービス」に設定し（ステップＳ１４８）、その後、メインルーチンに戻る。
【００８７】
また、設定操作が非接触ＩＣカード機能ロック設定操作でも、特定サービス機能設定操作でもない場合には、設定操作に応じた、その他の操作の処理を行い（ステップＳ１５０）、その後、メインルーチンに戻る。
【００８８】
上述した実施形態によれば、電池残量が低下した場合に、非接触ＩＣカード機能のロックを一時的に解除することで、気付かないうちに電池残量が低下して非接触ＩＣカード機能がロックされたままになってしまうことを防止することができ、サービスを継続して利用することができる。
【００８９】
また、ロック解除を特定のサービス、特に交通チケットのような入出時に使用する緊急度の高いサービスに限定することで、ロック一時解除時の安全性を更に高めることができる。
【００９０】
また、予め設定されている期間内に非接触カード機能を利用する予定があり、かつ、非接触ＩＣカード機能がロックされていて、かつ、電池残量が予め設定されている閾値を下回ったと判定された場合に、非接触ＩＣカード機能のロックを一時的に解除することで、予定していた使用時間に電池残量が低下して非接触ＩＣカード機能がロックされたままになってしまうことを防止することができ、サービスを継続して利用することができる。
【００９１】
また、利用するサービスがロック一時解除対象サービスに対してのみ、非接触ＩＣカード機能がロックされていて、かつ、電池残量が予め設定されている閾値を下回ったと判定された場合に、非接触ＩＣカード機能のロックを一時的に解除するので、不用意にロックを解除して不正使用されるのを防止することができる。
【００９２】
また、非接触ＩＣカード機能のロック状態を一時的に解除した後、電池残量が予め設定されている閾値を上回った場合には、非接触ＩＣカード機能をロック状態に戻すので、不正使用されるのを防止することができる。
【００９３】
また、非接触ＩＣカード機能のロック状態を一時的に解除した後、非接触ＩＣカード機能の利用が完了した場合、非接触ＩＣカード機能をロック状態に戻すので、不正使用されるのを防止することができる。
【００９４】
また、電池残量が低下した場合に、充電が必要である旨、または、非接触ＩＣカード機能のロックを解除する旨を通知することで、携帯電話がどういう状態であるのかをユーザに知らせることができる。
【００９５】
また、充電が必要である旨、または、非接触ＩＣカード機能のロックを解除する旨を通知し、該通知に応じてユーザが非接触ＩＣカード機能のロックを一時解除する操作をした場合に、非接触ＩＣカード機能のロックを一時解除するようにしたので、より確実に、より安全に非接触ＩＣカード機能のロックを解除することができる。
【図面の簡単な説明】
【００９６】
【図１】本発明の実施形態による携帯電話の構成を示すブロック図である。
【図２】記憶部４に記憶されている各種フラグの状態とその意味を説明するための概念図である。
【図３】サービステーブル４−１の一状態を示す概念図である。
【図４】本実施形態による携帯電話の動作（メインルーチン）を説明するためのフローチャートである。
【図５】非接触ＩＣカード機能利用処理の動作を説明するためのフローチャートである。
【図６】ロック解除処理（自動ロック一時解除）の動作を説明するためのフローチャートである。
【図７】ロック解除処理（通知＆ユーザ操作によるロック一時解除）の動作を示すフローチャートである。
【図８】設定処理の動作を説明するためのフローチャートである。
【図９】交通チケットサービスに対する動作を説明するためのフラグテーブル４−１の状態例を示す概念図である。
【図１０】電子チケットサービスに対する動作を説明するためのフラグテーブル４−１の状態例を示す概念図である。
【図１１】ロックフラグ設定時の画面例を示す模式図である。
【図１２】ロック一時解除フラグ設定時の画面例を示す模式図である。
【符号の説明】
【００９７】
１  通信部
２  操作部
３  非接触ＩＣカード機能部
４  記憶部
４−１  フラグテーブル
５  表示部
６  電話部
６−１  スピーカ
６−２  マイク
７  制御部
８  電源部
【図１】
2008152721.tif 000003
【図２】
2008152721.tif 000004
【図３】
2008152721.tif 000005
【図４】
2008152721.tif 000006
【図５】
2008152721.tif 000007
【図６】
2008152721.tif 000008
【図７】
2008152721.tif 000009
【図８】
2008152721.tif 000010
【図９】
2008152721.tif 000011
【図１０】
2008152721.tif 000012
【図１１】
2008152721.tif 000013
【図１２】
2008152721.tif 000014